(57)【要約】【課題】梱包時に支障を来すことなく、外箱からの取出時に手穴に手を掛けて容易に引き出すことができる包装材を提供する。【解決手段】底板１には、第１底罫線１１を介して手穴２ａを有する側板２が連設されると共に、第１底罫線１１に対する角度が鈍角をなす第２底罫線１２を介して隅底片３が連設され、側板２と隅底片３とが折込片４を介して連なり、側板２と折込片４との境界に第１隅罫線２１が、隅底片３と折込片４との境界に第２隅罫線２２がそれぞれ入れられ、第１隅罫線２１と第２隅罫線２２のなす角度は、９０°未満とされたものとする。隅底片３が第２底罫線１２での山折りに伴い底板１に重なり合い、折込片４が第１隅罫線２１での山折り及び第２隅罫線２２での谷折りに伴い側板２の裏面側へ折れ曲がり、側板２が第１底罫線１１での山折りに伴い底板１から外側へ傾斜した状態で起立する。【選択図】図１
0003222681.tif 000002
【実用新案登録請求の範囲】
【請求項１】
物品が載置される底板(1)に、第１底罫線(11)を介して手穴(2a)を有する側板(2)が連設されると共に、前記第１底罫線(11)に対する角度が鈍角をなす第２底罫線(12)を介して隅底片(3)が連設され、前記側板(2)と前記隅底片(3)とが折込片(4)を介して連なり、
前記側板(2)と前記折込片(4)との境界には第１隅罫線(21)が、前記隅底片(3)と前記折込片(4)との境界には第２隅罫線(22)がそれぞれ入れられ、
前記第１隅罫線(21)と第２隅罫線(22)のなす角度は、９０°未満とされ、
前記隅底片(3)が前記第２底罫線(12)での山折りに伴い前記底板(1)に重なり合い、前記折込片(4)が前記第１隅罫線(21)での山折り及び前記第２隅罫線(22)での谷折りに伴い前記側板(2)の裏面側へ折れ曲がり、前記側板(2)が前記第１底罫線(11)での山折りに伴い前記底板か(1)ら外側へ傾斜した状態で起立する手穴付き包装材。
【請求項２】
前記底板(1)と前記隅底片(3)の重なり合う部分には、切込によるロック片(16,17)が設けられ、前記ロック片(16,17)の折り曲げに伴い、前記底板(1)と前記隅底片(3)の重合状態が維持されて、保形されることを特徴とする請求項１に記載の手穴付き包装材。
【請求項３】
前記底板(1)に前記第２底罫線(12)に対する角度が鈍角をなす第３底罫線(13)を介して端板(5)が連設され、前記端板(5)の側端に第３隅罫線(23)を介してコーナー板(6)が連設され、前記コーナー板(6)と前記隅底片(3)とが第４底罫線(14)を介して連なり、
前記端板(5)が前記第３底罫線(13)での山折りに伴い前記底板(1)から起立し、前記コーナー板(6)が前記第３隅罫線(23)での山折り及び前記第４底罫線(14)での谷折りに伴い前記端板(5)から前記側板(2)へ向けて斜めに折れ曲がり、前記隅底片(3)から起立した状態となることを特徴とする請求項１又は２に記載の手穴付き包装材。
【請求項４】
前記手穴(2a)を有する側板(2)が前記底板(1)の両側に連設され、前記側板(2)がそれぞれ前記底板(1)から外側へ傾斜した状態で起立することを特徴とする請求項１乃至３のいずれかに記載の手穴付き包装材。
【考案の詳細な説明】
【技術分野】
【０００１】
この考案は、物品を載置した状態で手を掛けて引っ張ることができる手穴付きの包装材に関するものである。
【背景技術】
【０００２】
シーリングライト等の円盤状の照明器具の梱包に使用する包装材として、本出願人は、図９に示すようなものを提案している（下記特許文献１参照）。
【０００３】
この包装材は、段ボールシートを材料とし、八角形状の底板５１の対向する端辺に一対の端板５２が連設されると共に、各斜辺に隅板５３がそれぞれ連設され、端板５２の先端に押圧板５４が連設されて、押圧板５４と隅板５３とが繋部５５を介して繋がれたものとされている。また、隅板５３と繋部５５との境界には第１隅折線５６が入れられ、押圧板５４と繋部５５との境界には第２隅折線５７が入れられている。そして、底板５１の一方の端部付近には、手穴５８が設けられている。
【０００４】
この包装材を使用して円盤状の照明器具Ｌを梱包する際には、照明器具Ｌを底板５１の上面に載せた状態で、両側の押圧板５４を引き上げる。これに伴い、端板５２及び隅板５３が起立し、照明器具Ｌの外周部が下方から抱持され、繋部５５が第１隅折線５６での山折り及び第２隅折線５７での谷折りに伴い折り込まれ、押圧板５４が内側へ折れ曲がり、照明器具Ｌの外周部が上方から押さえられる。
【０００５】
そして、段ボール製の外箱３１の側面のフラップ３２を開いた状態で、外箱３１に照明器具Ｌを包装材と共に挿入し、フラップ３２を閉じると、梱包が完了する。このような梱包状態では、照明器具Ｌが外箱３１の内部でがたつかないように周囲から保持され、輸送時における衝撃から保護される。
【先行技術文献】
【特許文献】
【０００６】
【特許文献１】特開２０１２−９６８４１号公報
【考案の概要】
【考案が解決しようとする課題】
【０００７】
しかしながら、上記のような包装材では、照明器具Ｌの下方に手穴５８が位置して目立たないため、照明器具Ｌの購入者が外箱３１のフラップ３２を開けて外箱３１から照明器具Ｌを取り出す際、手穴５８に手を掛けることなく、照明器具Ｌのセード等を持って引き出そうとする場合があり、照明器具Ｌが破損する恐れがある。
【０００８】
このような事態への対策として、底板５１の端部に、照明器具Ｌが載置される部分から大きく突出した取手部を形成し、その取手部に手穴５８を設けることも考えられる。
【０００９】
ところが、外箱３１からの照明器具Ｌの取り出しに際しては、外箱３１の対向する側面のうち、いずれの側面のフラップ３２が開けられるかわからないため、取手部を底板５１の両側に突出させる必要があり、その場合、梱包作業時に底板５１の取手部が外箱３１の奥側の閉じられた側面に突き当たり、それ以上奥へ押し込めなくなる恐れがある。
【００１０】
そこで、この考案は、梱包時に支障を来すことなく、外箱からの取出時に手穴に手を掛けて容易に引き出すことができる包装材を提供することを課題とする。
【課題を解決するための手段】
【００１１】
上記課題を解決するため、この考案は、物品が載置される底板に、第１底罫線を介して手穴を有する側板が連設されると共に、前記第１底罫線に対する角度が鈍角をなす第２底罫線を介して隅底片が連設され、前記側板と前記隅底片とが折込片を介して連なり、
前記側板と前記折込片との境界には第１隅罫線が、前記隅底片と前記折込片との境界には第２隅罫線がそれぞれ入れられ、
前記第１隅罫線と第２隅罫線のなす角度は、９０°未満とされ、
前記隅底片が前記第２底罫線での山折りに伴い前記底板に重なり合い、前記折込片が前記第１隅罫線での山折り及び前記第２隅罫線での谷折りに伴い前記側板の裏面側へ折れ曲がり、前記側板が前記第１底罫線での山折りに伴い前記底板から外側へ傾斜した状態で起立するものとしたのである。
【００１２】
また、前記底板と前記隅底片の重なり合う部分には、切込によるロック片が設けられ、前記ロック片の折り曲げに伴い、前記底板と前記隅底片の重合状態が維持されて、保形されるものとしたのである。
【００１３】
さらに、前記底板に前記第２底罫線に対する角度が鈍角をなす第３底罫線を介して端板が連設され、前記端板の側端に第３隅罫線を介してコーナー板が連設され、前記コーナー板と前記隅底片とが第４底罫線を介して連なり、
前記端板が前記第３底罫線での山折りに伴い前記底板から起立し、前記コーナー板が前記第３隅罫線での山折り及び前記第４底罫線での谷折りに伴い前記端板から前記側板へ向けて斜めに折れ曲がり、前記隅底片から起立した状態となるものとしたのである。
【００１４】
また、前記手穴を有する側板が前記底板の両側に連設され、前記側板がそれぞれ前記底板から外側へ傾斜した状態で起立するものとしたのである。
【考案の効果】
【００１５】
この考案に係る包装材では、物品を梱包した外箱の側面を開けると、手穴を有する側板が底板から外側へ傾斜して起立した状態となっているので、手穴が確実に視認され、外箱から物品を取り出す際、物品自体を持つことなく、手穴に手を掛けて、外箱から包装材と共に物品を容易に引き出すことができ、物品の破損が防止される。
【００１６】
また、外箱のいずれの側面からでも取り出せるように、底板の両側に側板を連設した場合でも、外箱に挿入する際、先に外箱の内部に進入した側板が外箱の奥側の閉じられた側面に当たって突っ張ることがなく、外箱の奥までスムーズに押し込むことができる。
【図面の簡単な説明】
【００１７】
【図１】この考案の第１実施形態に係る手穴付き包装材の照明器具を載せた組立状態を示す斜視図
【図２】同上の外箱に対する挿入及び引出過程を示す斜視図
【図３】同上の包装材による梱包状態を示す斜視図
【図４】同上のブランクを示す図
【図５】この考案の第２実施形態に係る手穴付き包装材の照明器具を載せた組立状態を示す斜視図
【図６】同上のブランクを示す図
【図７】この考案の第３実施形態に係る手穴付き包装材のケーキを載せた組立状態を示す斜視図
【図８】同上のブランクを示す図
【図９】特許文献１に記載の手穴付き包装材による照明器具の梱包過程を示す斜視図
【考案を実施するための形態】
【００１８】
［第１実施形態］
まず、この考案の第１実施形態を図１乃至図４に基づいて説明する。
【００１９】
この包装材は、図１乃至図３に示すように、シーリングライト等の円盤状の照明器具Ｌの梱包に使用するものであり、図４に示すブランクから組み立てられる。
【００２０】
＜ブランク＞
図４に示すブランクは、段ボールシートを抜型で打ち抜くことにより形成される。段ボールシートとしては、波状の中しんの両側に表ライナと裏ライナとを貼り合わせた両面段ボールが使用される。段ボールシートにおいて、中しんの波形の頂部である段頂が延びる方向は、段目方向と呼ばれている。
【００２１】
段ボールシートは、その特性上、罫線を入れる際、裏面側から押圧すると、表面が凸状となって突き出す「山折り」方向への折り曲げが容易となり、表面側から押圧すると、表面が凹状となって窪む「谷折り」方向への折り曲げが容易となる。また、表裏に貫通する切目を入れると、いずれの方向への折曲抵抗も軽減される。このような特性を踏まえて、ブランクは設計されている。
【００２２】
このブランクでは、一組の対角が丸められた直角をなす変形六角形状の底板１を有し、底板１の周囲各辺のうち、対向する２辺に第１底罫線１１を介して側板２が連設されている。両側の側板２には、それぞれ長方形状の手穴２ａが第１底罫線１１に沿って形成されている。第１底罫線１１は、段ボールを裏面から押圧した押罫とされ、段ボールの段目方向は、第１底罫線１１に平行する方向へ向けられている。
【００２３】
また、底板１には、一対の第１底罫線１１の相反する端部側において、それぞれ第１底罫線１１に対する角度α１が鈍角をなす第２底罫線１２を介して三角形状の隅底片３が連設されている。角度α１は、ここでは１１２．５°とされている。第２底罫線１２は、段ボールを裏面から押圧した押罫と、段ボールを表裏に貫通する切目とを組み合わせたものとされ、押罫に対する切目の比率が大きくなっている。
【００２４】
側板２と隅底片３とは、折込片４を介して連なり、側板２と折込片４との境界には第１隅罫線２１が、隅底片３と折込片４との境界には第２隅罫線２２がそれぞれ入れられている。第１隅罫線２１は、段ボールを裏面側から押圧した押罫とされている。第２隅罫線２２は、段ボールを裏面側から押圧した押罫と、段ボールを表裏に貫通する切目とを断続的に組み合わせたものとされ、押罫に対する切目の比率が大きくなっている。
【００２５】
第１隅罫線２１と第２隅罫線２２のなす角度βは、ここでは８０°とされている。この角度βは、９０°未満であればよく、７５°以上とするのがよい。第１底罫線１１と第１隅罫線２１のなす角度γは、ここでは７７．５°とされている。
【００２６】
また、底板１には、第１底罫線１１に対し直交する２辺に、第２底罫線１２に対する角度α２が鈍角をなす第３底罫線１３を介して端板５が連設され、端板５の両側端に第３隅罫線２３を介してコーナー板６が連設されている。それぞれのコーナー板６と隅底片３とは、第４底罫線１４を介して連なっている。角度α２は、ここでは１５７．５°とされ、第２底罫線１２と第４底罫線１４のなす角度δは、２２．５°とされている。
【００２７】
第３底罫線１３及び第３隅罫線２３は、段ボールを裏面から押圧した押罫と、段ボールを表裏に貫通する切目とを断続的に組み合わせたものとされている。第４底罫線１４は、段ボールを裏面側から押圧した押罫と切目とを組み合わせたものとされ、中間部分で切目が長く延びている。
【００２８】
また、底板１の周囲において、第１底罫線１１、第２底罫線１２、第１隅罫線２１及び第２隅罫線２２が交わる点と、第２底罫線１２、第３底罫線１３、第４底罫線１４及び第３隅罫線２３が交わる点と、第３底罫線１３と第３隅罫線２３のみが交わる点を包含する部分には、それぞれ円形の逃穴１５が設けられている。
【００２９】
そのほか、底板１と隅底片３の第２底罫線１２に臨む部分には、第２底罫線１２の切目からの２本の切込によりそれぞれロック片１６、１７が設けられている。底板１のロック片１６は、先端へ向けて幅が広くなる台形状とされ、隅底片３のロック片１７は、ロック片１６の狭幅部と同様の幅の長方形状とされている。
【００３０】
＜組立・梱包過程＞
上記のようなブランクを使用して照明器具Ｌを梱包する際には、図１に示すように、底板１に照明器具Ｌを載せ、一対の端板５を起立させる。このとき、隅底片３を内側へ押すと、端板５の両側のコーナー板６が第３隅罫線２３での山折りに伴い側板２へ向けて斜めに折れ曲がり、隅底片３から起立した状態となる。
【００３１】
そして、これに連動して、隅底片３が第２底罫線１２での山折りに伴い底板１に重なり合い、折込片４が第１隅罫線２１での山折り及び第２隅罫線２２での谷折りに伴い側板２の裏面側へ折れ曲がり、一対の側板２が第１底罫線１１での山折りに伴い底板１から外側へ傾斜した状態で起立する。
【００３２】
この状態で、重なり合ったロック片１６，１７を上方へ折り曲げると、台形状のロック片１６が長方形状のロック片１７の抜出跡の側方に臨む部分に噛み合い、底板１と隅底片３の重合状態が維持されて保形され、照明器具Ｌは、各一対の側板２及び端板５並びに四隅のコーナー板６により、底板１の上面で移動しないように保持される。
【００３３】
上記のように包装材で保持された照明器具Ｌを箱詰めして梱包する際には、図２に示すように、外箱３１の一方の側面のフラップ３２を開いた状態で、外箱３１に照明器具Ｌを包装材と共に挿入する。
【００３４】
このとき、側板２は水平状態ではなく、外側へ傾斜した状態で起立しているので、底板１の両側に側板２が連設されていても、先に外箱３１の内部に進入した側板２が外箱３１の奥側の閉じられた側面に当たって突っ張ることがなく、外箱３１の奥までスムーズに包装材を押し込むことができる。
【００３５】
その後、外箱３１のフラップ３２を閉じると、図３に示すように、梱包が完了し、底板１に載せられた照明器具Ｌが外箱３１の内部でがたつかないように周囲から保持され、輸送時における衝撃から保護される。
【００３６】
＜外箱からの取り出し＞
一方、照明器具Ｌを外箱３１から取り出す際、図２に示すように、外箱３１のいずれかの側面のフラップ３２を開けると、側板２が底板１に対し水平ではなく、底板１から外側へ傾斜して起立した状態となっているので、手穴２ａが確実に視認される。
【００３７】
このため、照明器具Ｌのセード等を持つことなく、手穴２ａに手を掛けて、外箱３１から照明器具Ｌを包装材と共に引き出すことができ、照明器具Ｌのセードが割れたり変形したりするような破損が防止される。
【００３８】
また、側板２が底板１に対し９０°の角度で直立せず、傾斜しているため、手穴２ａに手を掛けて側板２を引っ張ったとき、引張力の分力が段ボールの厚さ方向ではなく、側板２の傾斜方向に主として作用するので、手穴２ａの上縁と側板２の先端縁の間の部分の撓みが抑制され、手穴２ａの周縁部が破れにくいという利点もある。
【００３９】
［第２実施形態］
次に、この考案の第２実施形態を図５乃至図６に基づいて説明する。なお、この包装材は、上記第１実施形態と考案の要部は共通であるので、ここでは、主に上記第１実施形態と相違する特徴点について言及するに留める。
【００４０】
この包装材もまた、図５に示すように、照明器具Ｌの梱包に使用する段ボール製のものであり、図６に示すブランクから形成される。このブランクでは、底板１が八角形状とされ、一対の第１底罫線１１に対し四隅の斜辺となる第２底罫線１２を介して三角形状の隅底片３が連設されている。それぞれの隅底片３とコーナー板６とは、第４底罫線１４を介して連なっている。
【００４１】
このような包装材では、図５に示す組立状態において、隅底片３により全てのコーナー板６の揺動が規制されてトレイ状となるので、梱包状態における照明器具Ｌの周囲からの保持性が優れ、輸送中の大きな衝撃から照明器具Ｌを保護することができる。
【００４２】
また、この包装材によると、一方の端板５の上端に蓋を連設し、又は別途蓋を用意し、上方から蓋を被せることにより、外箱を使用しない梱包形態とすることもできる。
【００４３】
［第３実施形態］
次に、この考案の第３実施形態を図７及び図８に基づいて説明する。なお、この包装材もまた、上記第１及び第２実施形態と考案の要部は共通であるので、ここでは、主に上記第１及び第２実施形態と相違する特徴点について言及するに留める。
【００４４】
この包装材は、図７に示すように、例えば、洋菓子店等で販売される円柱状のケーキＣの持ち帰りに使用する板紙製のプレートであり、図８に示すブランクから形成される。
【００４５】
このブランクでは、八角形状の底板１に、四隅の斜辺となる第２底罫線１２を介して三角形状の隅底片３が連設されているものの、底板１には、一対の端板５が連設されておらず、端板５の両側のコーナー板６も存在しない。また、材料が段ボールシートではなく板紙であるため、押罫を入れる際、押圧する面は表裏逆となる。
【００４６】
このような包装材では、図７に示すように組み立てて、底板１の上面にケーキＣを載せると、側板２が直立せず外側へ傾斜しているので、ケーキＣの外周面にほとんど接触することなく、ケーキＣを底板１の一定の位置に保持することができる。
【００４７】
そして、外箱からケーキＣを取り出す際、ケーキＣに触れることなく、側板２の手穴２ａに手を掛けて容易に引き出すことができるので、ケーキＣのスポンジが欠けたり、クリームが手に付着したりする懸念がなくなり、ケーキＣを美しくデコレーションされた状態のまま取り出すことができる。
【００４８】
［本願考案のバリエーション・応用分野］
上記各実施形態に示すように、本願考案は、様々なシート状の材料から成る包装材に適用でき、また、外箱に挿入する緩衝材だけでなく、外箱を使用しない蓋付きトレイとしての包装材にも適用できる。さらに、物品の外周を包囲しないプレート状の包装材にも適用できる。また、第１実施形態及び第２実施形態に示したような段ボール製の包装材は、例示した照明器具のほか、円盤状のロボット掃除機等の梱包にも適したものとなり、第３実施形態に示したような板紙製の包装材は、ピザの宅配用包装等にも適したものとなる。
【符号の説明】
【００４９】
１  底板
２  側板
２ａ  手穴
３  隅底片
４  折込片
５  端板
６  コーナー板
１１  第１底罫線
１２  第２底罫線
１３  第３底罫線
１４  第４底罫線
１５  逃穴
１６，１７  ロック片
２１  第１隅罫線
２２  第２隅罫線
２３  第３隅罫線
３１  外箱
３２  フラップ
【図１】
0003222681.tif 000003
【図２】
0003222681.tif 000004
【図３】
0003222681.tif 000005
【図４】
0003222681.tif 000006
【図５】
0003222681.tif 000007
【図６】
0003222681.tif 000008
【図７】
0003222681.tif 000009
【図８】
0003222681.tif 000010
【図９】
0003222681.tif 000011